(57)【特許請求の範囲】
【請求項１】
炊飯を開始させる第１の入力手段と、保温を開始させる第２の入力手段と、炊飯や保温を強制的に終了させ待機状態に戻す第３の入力手段と、炊飯および保温動作を制御する第１の制御手段と、保温開始からの経過時間（以後、保温経過時間）を計時する第１の計時手段を持ち、第２の入力手段によって保温を開始した際に、以前の保温経過時間が第１の所定時間以上であった場合に、保温経過時間を第２の所定時間に設定するとともに、以前の保温経過時間が前記第２の所定時間以下である第６の所定時間未満の場合は、前記第１の入力手段によって炊飯を開始した後に自動で開始される保温と同じシーケンスで制御し、前記第６の所定時間以上の場合は、前記第１の入力手段によって炊飯を開始した後に自動で開始される保温と異なるシーケンスで制御するようにしたジャー炊飯器。
【発明の詳細な説明】
【０００１】
【発明の属する技術分野】
本発明は、一般家庭、あるいは業務用に使用するジャー炊飯器に関するものである。
【０００２】
【従来の技術】
近年のジャー炊飯器の多機能化はめざましく保温についてもさまざまな性能改善が施されている。このため、より長時間保温をされる場合が増える一方で、長期不在時などに不必要に保温を継続する可能性が増えてきており、不要な電力消費やきり忘れによる余計な不安を与えることがあった。従来、この種の炊飯器として、保温経過時間に応じたシーケンスで制御するとともに、一定時間以上保温した場合には、自動的に保温が終了するようにしているものがある。
【０００３】
【発明が解決しようとする課題】
しかしながら、従来のジャー炊飯器では、保温時に、炊飯終了からの保温経過時間に応じた制御を行っているため、保温経過時間を積算で計時する必要があり、他の炊飯器や鍋などで炊いたものを保温する場合などは、適切でない制御をする場合や、短時間でも自動的にオフしてしまう可能性があった。
【０００４】
【課題を解決するための手段】
上記の課題を解決するために本発明は、炊飯をしたものを保温した場合には、保温経過時間に応じた制御を行うとともに、他の炊飯器や鍋などで炊いたものを保温する場合でも、適切な制御を行い、短時間で自動的にオフすることなく、かつ長時間放置した場合には、自動的にオフできるようにしている。
【０００５】
【発明の実施の形態】
請求項１記載の発明は、炊飯を開始させる第１の入力手段と、保温を開始させる第２の入力手段と、炊飯や保温を強制的に終了させ待機状態に戻す第３の入力手段と、炊飯および保温動作を制御する第１の制御手段と、保温開始からの経過時間（以後、保温経過時間）を計時する第１の計時手段を持ち、第２の入力手段によって保温を開始した際に、以前の保温経過時間が第１の所定時間以上であった場合に、保温経過時間を第２の所定時間に設定することで、通常に炊飯をして保温をした場合や、誤って第３の入力手段などにより、取り消し動作をしてしまった場合には、保温経過時間に応じた適切な制御を行い、他の炊飯器や鍋などで炊いたものを保温する場合には炊飯終了後を想定している保温経過時間に応じた制御を行うことがなくなるので適切な制御を行うことができるとともに、第２の入力手段によって保温を開始した場合でも、一定時間以上の保温時間を確保した上で、切り忘れ等による長時間の無用な保温を行うことを防止できる。
【０００６】
なお、第１の計時手段が計時する保温経過時間は、保温状態あるいは内鍋を一定以上の温度に制御している状態の累積時間でも、炊飯終了からの時間でも、炊飯終了からの累積通電時間のいずれでもよい。
【０００７】
さらに、第２の入力手段によって保温を開始した場合に、以前の保温経過時間が第２の所定時間以下である第６の所定時間未満の場合は、第１の入力手段によって炊飯を開始した後に自動で開始される保温と同じシーケンスで制御し、第６の所定時間以上の場合は、第１の入力手段によって炊飯を開始した後に自動で開始される保温と異なるシーケンスで制御するようにすることで、第３の入力手段等によって誤って保温を終了してしまった場合には、炊飯時の情報や保温経過時間に応じたシーケンスで保温を継続することができ、他の炊飯器や鍋で調理されたものを保温した場合には、保温経過時間によらないシーケンスで保温を制御するため、いずれの場合にも、適切な保温を行うことができる。
【０００８】
【実施例】
以下、本発明の実施例について図面を用いて説明する。
【０００９】
（実施例１）
図１と図２は本発明の第１の実施例のフローチャートとブロック図である。
【００１０】
図１においてステップ１は第２の入力手段、例えばキー操作によって保温が開始されたかどうかを判断する。キー操作で保温が開始された場合はステップ２へ、それ以外はステップ３へ進む。ステップ２では、現在の保温経過時間を確認し、これが第１の所定時間、例えば４８時間以上であるかどうかを確認し、４８時間以上であれば、ステップ４へ進み、４８時間未満であればステップ５へ進む。ステップ４では、保温経過時間を第２の所定時間、例えば２４時間に設定し、保温を開始する。ステップ５では、現在の保温経過時間のままで保温を開始する。ステップ３では、保温経過時間を０にして、保温を開始する。
【００１１】
以上のように本実施例によれば、保温経過時間に応じた制御を行っている場合でも、第２の所定時間をこの影響を受けない時間にすることで、通常に炊飯をして保温をした場合や、誤って第３の入力手段などにより、取り消し動作をしてしまった場合には、保温経過時間に応じた適切な制御を行い、他の炊飯器や鍋などで炊いたものを保温する場合には炊飯終了後を想定している保温経過時間に応じた制御を行うことがなくなるので適切な制御を行うことができる。
【００１２】
（実施例２）
図３は本発明の第２の実施例のフローチャートである。
【００１３】
図３においてステップ１１で第２の入力手段、例えばキー操作によって保温が開始されたかどうかを判断する。キー操作で保温が開始された場合はステップ１２へ、それ以外はステップ１３へ進む。ステップ１２では、現在の保温経過時間を確認し、これが第１の所定時間、例えば４８時間以上であるかどうかを確認し、４８時間以上であれば、ステップ１４へ進み、４８時間未満であればステップ１５へ進む。ステップ１４では、保温経過時間を第２の所定時間、例えば２４時間に設定し、保温を開始し、ステップ１６へ進む。ステップ１５では、現在の保温経過時間のままで保温を開始し、ステップ１７へ進む。ステップ１３では、保温経過時間を０にして、保温を開始し、ステップ１７へ進む。ステップ１７では保温経過時間を確認しながら保温を継続し、第３の所定時間以上の場合、例えば７２時間以上の場合、ステップ１８へ進み、保温を終了する。ステップ１６では保温経過時間を確認し、第４の所定時間例えば６０時間以上の場合、ステップ１９へ進み、保温を終了する。
【００１４】
また、本実施例では、ステップ１８とステップ１９で保温を終了したことを表示や音で報知していないが、もちろん表示や音で報知してもよく、またステップ１８とステップ１９で異なる報知としてもよいし、どちらか一方のみ報知するようにしてもよいし、それぞれの報知の有無や種類を使用者が設定できるようにしてもよい。
【００１５】
以上のように本実施例によれば、保温経過時間に応じた制御を行っている場合でも、第２の所定時間をこの影響を受けない時間にすることで、通常に炊飯をして保温をした場合や、誤って第３の入力手段などにより、取り消し動作をしてしまった場合には、保温経過時間に応じた適切な制御を行い、他の炊飯器や鍋などで炊いたものを保温する場合には炊飯終了後を想定している保温経過時間に応じた制御を行うことがなくなるので適切な制御を行うことができるとともに、第２の入力手段によって保温を開始した場合でも、通常炊飯の場合とは異なる一定時間以上の保温時間を確保した上で、切り忘れ等による長時間の無用な保温を行うことを防止できる。
【００１６】
（実施例３）
次に本発明の第３の実施例を図４と図１を参照しながら説明する。
【００１７】
図４は本発明の第３の実施例の表示の例である。図４（１）は保温経過時間が第５の所定時間未満の場合の表示である。図４（２）は保温経過時間が第５の所定時間以上の場合の表示である。図１については実施例１と同じのため、図面の説明は省略する。
【００１８】
図１のステップ３で保温を開始した場合の表示は図４（１）のようになり、保温経過時間が第５の所定時間例えば２４時間以上に達した場合は図４（２）のような表示となる。また、図１のステップ５で保温を開始した場合の表示は、保温経過時間が第５の所定時間例えば２４時間未満であれば、図４（１）の表示となり、２４時間以上であれば、図４（２）の表示となる。その後、保温経過時間が２４時間以上に達した場合は図４（２）のような表示となる。ステップ４で保温を開始した場合の表示は図４（２）の表示となる。
【００１９】
以上のように本実施例によれば、保温経過時間を表示する場合においても、第５の所定時間以上の場合に保温経過時間を明確に表示しないようにしているため、本発明により保温経過時間を設定しなおした場合でも使用者に違和感を感じさせることなく、保温を開始することができる。
【００２０】
（実施例４）
次に本発明の第３の実施例を図１と図５を参照しながら説明する。
【００２１】
図１については実施例１と同じのため、図面の説明は省略する。図５は保温のシーケンスの保温経過時間と制御温度の関係を示した例である。シーケンス１は炊飯時の情報や保温経過時間によって適切に温度を変化させる保温シーケンスであり、シーケンス２は炊飯時の情報や、保温経過時間によらない、一定の温度で維持させる保温シーケンスである。
【００２２】
図１のステップ３で保温を開始した場合の保温シーケンスを図５のシーケンス１とし、図１のステップ５で保温を開始した場合の保温シーケンスを図５のシーケンス２とし、ステップ４で保温を開始した場合の保温シーケンスを図５のシーケンス２としている。
【００２３】
以上のように本実施例によれば、第２の入力手段によって保温を開始した場合には、保温経過時間によらないシーケンスで保温を制御するため、他の炊飯器や鍋で調理されたものを保温した場合でも、適切な保温を行うことができる。
【００２４】
（実施例５）
次に本発明の第３の実施例を図１と図５を参照しながら説明する。
【００２５】
図１については実施例１と同じのため、図面の説明は省略する。図５は保温のシーケンスの保温経過時間と制御温度の関係を示した例である。
【００２６】
図１のステップ３で保温を開始した場合の保温シーケンスを図５のシーケンス１とし、図１のステップ５で保温を開始した場合の保温シーケンスは、第６の所定時間例えば１２時間未満である場合はシーケンス１、１２時間以上の場合はシーケンス２のシーケンスで保温を行う。また図１のステップ４で保温を開始した場合は、第６の所定時間は第２の所定時間以下であるため、図５のシーケンス２で保温を行う。
【００２７】
以上のように本実施例によれば、第３の入力手段等によって誤って保温を終了してしまった場合には、炊飯時の情報や保温経過時間に応じたシーケンスで保温を継続することができ、他の炊飯器や鍋で調理されたものを保温した場合には、保温経過時間によらないシーケンスで保温を制御するため、いずれの場合にも、適切な保温を行うことができる。
【００２８】
なお、第１の所定時間と第２の所定時間と第５の所定時間と第６の所定時間を異なる時間として説明したが、このうち２つ以上のものが同一の時間であってもよいことは明らかである。
【００２９】
また、第３の所定時間と第４の所定時間は異なる時間として説明したが、同一の時間でもよく、また第４の所定時間を第３の所定時間と第２の所定時間または、第１の所定時間との和や差としてもよいし、使用者に片方あるいは両方ともの自動オフの無効を含めて数種類の中から選択させても、任意の時間に設定させてもよいことは明らかである。
【００３０】
また、第１の入力手段と第２の入力手段と第３の入力手段を全て別のものとして説明したが、この内２つ以上のものが同一であってもよいことは明らかである。
【００３１】
【発明の効果】
以上のように本発明によれば、通常に炊飯をして保温をした場合や、誤って第３の入力手段などにより、取り消し動作をしてしまった場合には、保温経過時間に応じた適切な制御を行い、他の炊飯器や鍋などで炊いたものを保温する場合には炊飯終了後を想定している保温経過時間に応じた制御を行うことがなくなるので適切な制御を行うことができるとともに、第２の入力手段によって保温を開始した場合でも、一定時間以上の保温時間を確保した上で、切り忘れ等による長時間の無用な保温を行うことを防止できる。
【図面の簡単な説明】
【図１】  本発明の第１の実施例のフローチャート
【図２】  本発明の第１の実施例のブロック図
【図３】  本発明の第２の実施例のフローチャート
【図４】  本発明の第３の実施例の表示例を示した図
【図５】  本発明の第４と第５の実施例のシーケンス例を示した図
【符号の説明】
１  入力手段１
２  入力手段２
３  入力手段３
４  加熱手段
５  計時手段
６  制御手段
７  内鍋
【図１】
0004590768.tif 000002
【図２】
0004590768.tif 000003
【図３】
0004590768.tif 000004
【図４】
0004590768.tif 000005
【図５】
0004590768.tif 000006